(57)【要約】【課題】  本発明の目的は、切れ目から折れ曲がることを防ぎ、開封用切れ目線は方向の制約もなく、三方シール袋、四方シール袋、ピロー袋、ガセット袋、自立袋等の形態にも適用できる容易に開封可能な易開封性包装袋を提供することである。【解決手段】  少なくとも表層から易引裂きフィルム層、基材層が順次設けられ、最内層に熱接着性樹脂層が積層された矩形状積層体の対向する端縁を前記最内層同士が当接するように重ね合わせて熱接着して合掌シール部を有する筒状体となし、少なくとも側端縁に凸状折り部を有するように構成して上下開口端の端縁部を上下端縁熱接着部で熱接着して密封した包装袋において、一方の前記凸状折り部を開封開始端とする開封予定線に沿って基材層に開封用切れ目線が形成されていることを特徴とするものである。【選択図】        図４
2007091265.tif 000002
【特許請求の範囲】
【請求項１】
少なくとも表層から易引裂きフィルム層、基材層が順次設けられ、最内層に熱接着性樹脂層が積層された矩形状積層体の対向する端縁を前記最内層同士が当接するように重ね合わせて熱接着して合掌シール部を有する筒状体となし、少なくとも側端縁に凸状折り部を有するように構成して上下開口端の端縁部を上下端縁熱接着部で熱接着して密封した包装袋において、一方の前記凸状折り部を開封開始端とする開封予定線に沿って基材層に開封用切れ目線が形成されていることを特徴とする易開封性包装袋。
【発明の詳細な説明】
【技術分野】
【０００１】
本発明は、易引裂きフィルムを表層に積層した積層体からなる包装袋で、開封予定線に沿って開封用切れ目線が形成された易開封性包装袋に関する。
【背景技術】
【０００２】
従来、切れ目を設けることにより開封を容易にした袋としては、表面基材層と中間層と熱接着性樹脂層とがそれぞれ接着剤層を介して積層された積層体からなる袋の開封位置において、該中間層に連続した直線状の切れ目が形成され、切れ目の両端における袋の熱接着部の少なくとも一方にノツチが設けられている易開封性包装袋が知られている（例えば、特許文献１参照）。
【０００３】
上記易開封性包装袋は、連続した直線状の切れ目が形成されているために、優れた開封性を有するが、反面、包装袋としての強度が低下し、直線状の切れ目を軸として包装袋が折れ曲がり易いという問題点がある。また、直線状の切れ目の方向は、積層体ウェブの進行方向に平行となるために、包装袋の形態によっては、制約を受け、例えば、ピロー包装やガセット包装等の形態には、合掌シール部に対して直交する方向に切れ目を施すことができないために、内容物の種類によっては、内容物がこぼれるという欠点がある。
【特許文献１】特開平７−２８５５５９号公報
【発明の開示】
【発明が解決しようとする課題】
【０００４】
本発明の目的は、切れ目から折れ曲がることを防ぎ、開封用切れ目線の方向に制約もなく、三方シール袋、ピロー袋、ガセット袋等の側端縁に凸状折り部を有する包装袋に適用できる容易に開封可能な易開封性包装袋を提供することである。
【課題を解決するための手段】
【０００５】
本発明は、上記課題を達成するために、請求項１記載の本発明は、少なくとも表層から易引裂きフィルム層、基材層が順次設けられ、最内層に熱接着性樹脂層が積層された矩形状積層体の対向する端縁を前記最内層同士が当接するように重ね合わせて熱接着して合掌シール部を有する筒状体となし、少なくとも側端縁に凸状折り部を有するように構成して上下開口端の端縁部を上下端縁熱接着部で熱接着して密封した包装袋において、一方の前記凸状折り部を開封開始端とする開封予定線に沿って基材層に開封用切れ目線が形成されていることを特徴とするものである。
【発明の効果】
【０００６】
本発明の易開封性包装袋は、少なくとも表層から易引裂きフィルム層、基材層が順次設けられ、最内層に熱接着性樹脂層が積層された積層体からなり、開封予定線に沿って基材層に開封用切れ目線を形成することによって、開封用切れ目線に沿って容易に引裂き開封できるという効果を奏するものである。
【０００７】
さらに、開封用切れ目線が形成された基材層の表層に易引裂きフィルム層が積層されていることにより、包装袋としての強度を有し、開封用切れ目線から折れ曲がることが防止できるという効果がある。
【０００８】
また、表層に易引裂き性フィルム層を積層することにより、開封用切れ目線が直線状以外の形状であっても開封用切れ目線に沿って引裂きが可能となり、開封予定線の設計に自由度を与えるとともに、開封用切れ目線が包装袋の表面から見えないために包装袋の美観が向上するという効果がある。
【発明を実施するための最良の形態】
【０００９】
上記の本発明について、図面等を用いて以下に詳述する。図１は本発明にかかる易開封性包装袋の第一実施形態の要部斜視図、図２は図１の易開封性包装袋の開封状態を示す要部斜視図、図３は図１のＸ−Ｘ線断面図、図４は本発明にかかる易開封性包装袋の第二実施形態の要部斜視図、図５は本発明にかかる易開封性包装袋の第三実施形態を示す斜視図、図６は本発明にかかる易開封性包装袋の第三実施形態を示す背面図及びＹ−Ｙ線断面図であり、図中の破線は開封予定線に沿って基材層に形成された開封用切れ目線を示す。
（第一実施形態）
まず、図１、図２、図３を用いて、本発明にかかる易開封性包装袋の第一実施形態について説明する。図１に示すように、本発明の易開封性包装袋１は、少なくとも表層から易引裂きフィルム層、基材層が順次設けられ、最内層に熱接着性樹脂層が積層された矩形状積層体の対向する端縁を熱接着性樹脂層が当接するように重ね合わせて熱接着して合掌シール部１０を有する筒状体となし、合掌シール部１０が易開封性包装袋１の中央に位置するように、前記筒状体の対向する両側部に横断面Ｖ字状の折込部Ａ、Ｂを設け、折込部Ａ側の側端縁に凸状折り部Ａ１１、Ａ１２を有するように構成して、折込部Ｂ側の側端縁に凸状折り部Ｂ１１、Ｂ１２を有するように構成して上下開口端の端縁部を上端縁熱接着部２０および下端縁熱接着部（図示せず）で熱接着して密封したガセット袋とするとともに、一方の凸状折り部Ａ１１、Ａ１２に設けた開封開始端Ａ２１、Ａ２２より合掌シール部１０と折込部ＡのＶ字状先端部Ａ３との間であって上端縁熱接着部２０の端縁に設けた開封終了端Ａ４に至るまでに略逆Ｌ字状の開封予定線Ｃが設けられている。さらに、合掌シール部１０と対向する側の開封予定線Ｃの屈曲開始点Ｄから開封予定線Ｃに沿って開封開始端Ａ２１、Ａ２２を経て合掌シール部１０側の開封予定線Ｃの屈曲開始点Ｄを結ぶ略直線状の横断面Ｍ字状の開封用切れ目線３０が基材層に形成されている。開封用切れ目線３０の形状は切れ目部と非切れ目部からなる不連続な切れ目であればよく、特に限定されるものではないが、切れ目部の長さは０．３〜２．０ｍｍが好ましく、さらに、０．５〜１．０ｍｍがより好ましい。非切れ目部の長さは０．３〜１．０ｍｍが好ましく、さらには、０．５〜０．８ｍｍが好ましい。非切れ目部の長さが１．０ｍｍを超えると開封方向がずれた場合、引き裂き開封性が悪くなる。また、０．３ｍｍ未満では非切れ目部が積層体の製造中に切れる場合があり、また、製造中に積層体の切断や積層体のシワ発生原因となるために好ましくない。易開封性の観点から、切れ目部が凸状折り部Ａ１１、Ａ１２に設けた開封開始端Ａ２１、Ａ２２を跨ぐように形成することが好ましい。また、開封用切れ目線３０は、開封予定線Ｃに沿って開封開始端Ａ２１、Ａ２２から開封終了端Ａ４、Ａ４に至るまで全体に設けることもできる。また、開封用切れ目線３０を開封開始端Ａ２１、Ａ２２より上端縁に平行に易開封性包装袋１の全周に形成して上端全体を開口することもできる。
【００１０】
このように構成したガセット袋形態の易開封性包装袋１は、優れた密封性と易開封性を有し、開封に際しては、図２に示すように一方の凸状折り部Ａ１１、Ａ１２ に設けた開封開始端Ａ２１、Ａ２２より開封を開始し、屈曲開始点Ｄ、Ｄに至るまで基材層に形成された開封用切れ目線３０に沿って引裂かれ、以後、上方に向かって引張ると、易引裂きフィルムを使用していることにより、容易に開封終了端Ａ４、Ａ４に達するまで引裂けて易開封性包装袋１の上端の一部が切取られ、開口部４０が形成されて、内容物が容易に取出せるものである。尚、基材層に形成された開封用切れ目線３０は、要求される開口の大きさ、形状に合わせて形成することができる。
【００１１】
次に、本発明に使用する積層体について説明する。図３は図１のＸ−Ｘ線断面図である。図３に示すように、表層に易引裂きフィルム層２、基材層３が順次設けられ、最内層に熱接着性樹脂層４が積層され、さらに基材層３に切れ目部５が形成されている。尚、図示しないが、積層体に要求される酸素透過度、水蒸気透過度、遮光性、熱接着強度（ヒートシール強度）、突刺し強度、落下強度等の保護機能により、要求を満足するように基材層３と熱接着性樹脂層４の間にアルミニウム箔、アルミニウム蒸着プラスチックフィルム、酸化アルミニウム等の金属酸化物や酸化珪素等の無機物を蒸着したプラスチックフィルム、ポリビニルアルコール等のガスバリア性組成物をコーティングしたプラスチックフィルム及びエチレンビニルアルコール共重合体フィルム等のバリア性を有する中間層を設けてもよい。この場合、延伸フィルムを用いると引裂き開封性を向上させることができ、一層好適である。
易引裂きフィルム層２としては、全方向に引裂けるフィルムが好適であり、たとえば、セロファンや厚さ６μｍのポリエステルフィルムや少なくとも２種類の融点の異なるポリエステル樹脂層が積層されてなる易引裂き性ポリエステル等が使用できる。基材層３は、透明性や印刷適性等があるフィルムが使用でき、たとえば、ポリエステル、ポリプロピレン、ポリアミド等の延伸したフィルム、もしくは、これらを積層した積層フィルムを用いることができる。また、基材層３には印刷と同時に例えば、ロータリーダイロール等により所定の位置に開封用切れ目線３０を入れることができる。また、印刷後、所定の位置に例えば、ロータリーダイカッターやパルス発振タイプのレーザー照射等により開封用切れ目線３０を入れてもよい。熱接着性樹脂層４は、熱接着性樹脂であれば特に限定するものでなく、たとえば、ポリエチレン、ポリプロピレン等の周知の熱接着性樹脂を用いることができ、Ｔダイ押出機を用いて積層するサンドイッチラミネ−ションや接着剤を用いて積層するドライラミネ−ション等の積層方法を使用できる。
【００１２】
次に、図４を用いて第二実施形態について説明する。
（第二実施形態）
本発明にかかる第二実施形態の易開封性包装袋１’は図４に示すように、第一実施形態のガセット袋と同じ積層体を用いた４ピラーガセット袋の形態としている。すなわち、矩形状積層体の対向する端縁を熱接着性樹脂層４が当接するように重ね合わせて熱接着して合掌シール部１０を有する筒状体となし、該筒状体の対向する両側部に横断面Ｖ字状の折込部Ａ、Ｂを設け、折込部Ｂの一方の側端縁に前記合掌シール部１０が位置するように構成して他方の側端縁に凸状折り部Ｂ１１を有するように構成して、折込部Ａ側の側端縁に凸状折り部Ａ１１、Ａ１２を有するように構成して、前記凸状折り部Ａ１１、Ａ１２、Ｂ１１に側端縁熱接着部Ａ３１、Ａ３２、Ｂ３１を形成し、上下開口端の端縁部を上端縁熱接着部２０および下端縁熱接着部（図示せず）で熱接着して密封した４ピラーガセット袋とするとともに、一方の凸状折り部Ａ１１及びＡ１２の端縁部に開封開始端Ａ２１、Ａ２２が設けられている。さらに、折込部ＡのＶ字状先端と折込部ＢのＶ字状先端とのほぼ中間に前面パネル５０に設けられた開封終了点Ｅから開封予定線に沿って開封開始端Ａ２１、Ａ２２を経て背面パネル６０の前面パネル５０に設けられた開封終了点Ｅに対向する位置に設けられた開封終了点Ｅを略直線状に結ぶ横断面Ｍ字状の開封用切れ目線３０が基材層に形成されている。このように構成した４ピラーガセット袋形態の易開封性包装袋１’は、優れた密封性と易開封性を有し、開封に際しては、図示しないが一方の凸状折り部Ａ１１及びＡ１２の端縁部に設けた開封開始端Ａ２１、Ａ２２より開封を開始し、開封終了点Ｅ、Ｅに至るまで基材層に形成された開封用切れ目線３０に沿って引裂かれ、引裂かれた片を折込部Ｂ側に折り曲げて開口部が形成されて、内容物が容易に取出せるものである。尚、該引裂き片は、上方に向かって引張ると、易引裂きフィルムを使用していることにより、容易に引裂けて取除くことができる。その他は、第一実施形態と同様であり説明を省略する。
【００１３】
次に、図５、図６を用いて本発明にかかる第三実施形態の易開封性包装袋１’’について説明する。
（第三実施形態）
図５、図６に示すように、第三実施形態は、第一実施形態と同じ構成の積層体を用いたピロー袋の形態としている。すなわち、矩形状積層体の対向する端縁を熱接着性樹脂層４が当接するように重ね合わせて熱接着して合掌シール部１０（図６参照）を有する筒状体となし、合掌シール部１０が易開封性包装袋１’’の中央に位置するように該筒状体の対向する両側部に凸状折り部Ａ１１、Ｂ１１を有するように構成して、上下開口端の端縁部を上端縁熱接着部２０および下端縁熱接着部７０で熱接着して密封したピロー袋とするとともに、一方の凸状折り部Ａ１１の端縁部に開封開始端Ａ２１が設けられ、開封予定線に沿って、開封用切れ目線３０が上端縁熱接着部２０に平行して略直線状にピロー袋全周に亘り、基材層３に形成されている。図６のＹ−Ｙ線断面図に示すように、表層に易引裂きフィルム層２、基材層３が順次設けられ、最内層に熱接着性樹脂層４が積層され、さらに基材層３に切れ目部５が形成されている。このように構成したピロー袋形態の易開封性包装袋１’’は、優れた密封性と易開封性を有し、開封に際しては、図示しないが開封開始端Ａ２１より開封を開始し、基材層３に形成された開封用切れ目線３０に沿って引裂かれ、他方の凸状折り部Ｂ１１に至り上端縁熱接着部２０を含む引裂き片として切取られ、開口部が形成されて、内容物が容易に取出せるものである。尚、開封用切れ目線３０は開封予定線により、部分的に設けることもできる。その場合、引裂き片は、上端縁熱接着部２０に向かって引張ると、易引裂きフィルムを使用していることにより、容易に引裂けて取除くことができる。その他は、第一実施形態と同様であり説明を省略する。
【００１４】
次に、本発明について、実施例を挙げてさらに詳しく説明する。
【実施例１】
【００１５】
基材層に両面コロナ処理された厚さ２０μｍの二軸延伸ポリプロピレンフィルム（以下ＯＰＰと呼称する）を用いて、一方の面にウレタン系インキを使用してグラビア印刷を施して印刷絵柄層を設けるとともに、所定位置に設けられた開封予定線に沿って、周面の所定位置に切刃を突設したロータリーダイロールとアンビルロールとからなるロータリーダイカッターを用いて前記ＯＰＰを貫通する開封用切れ目線３０を切れ目部の長さ１．０ｍｍ、非切れ目部の長さ０．５ｍｍの破線状として形成した。その後、ＯＰＰの表層に易引裂きフィルム層として厚さ１４μｍの易引裂き二軸延伸ポリエステルフィルム（東洋紡績株式会社製、商品名ＴＦ１１０。以下ＰＥＴと呼称する）を下面に中間層として厚さ７μｍのアルミニウム箔（以下ＡＬＭと呼称する）をウレタン系接着剤を介してドライラミネーション（以下ＤＬと呼称する）方式で積層し、さらに、ＡＬＭ面にウレタン系アンカーコートを施し、厚さ４０μｍの低密度ポリエチレンフィルム（以下ＬＤＰＥと呼称する）とをＴダイ押出機で低密度ポリエチレン（以下ＰＥと呼称する）を厚さ２０μｍで溶融押出してサンドイッチラミネーションしてＰＥＴ１４μｍ／ＤＬ／ＯＰＰ２０μｍ／印刷絵柄層／ＡＣ／ＰＥ２０μｍ／ＬＤＰＥ４０μｍなる積層体を作製した。該積層体を用いて、第一実施形態に示すガセット袋形態の易開封性包装袋１を作製した。
【実施例２】
【００１６】
実施例１で作製した積層体を用いて、第二実施形態に示す４ピラーガセット袋形態の易開封性包装袋１’を作製した。
【実施例３】
【００１７】
実施例１で作製した積層体を用いて、第三実施形態に示すピロー袋形態の易開封性包装袋１’’を作製した。
【００１８】
上記で作製した易開封性包装袋はいずれも、開封予定線に沿って、容易に開封でき、開口部が形成でき、内容物を取出すことができた。
【図面の簡単な説明】
【００１９】
【図１】本発明にかかる易開封性包装袋の第一実施形態の要部斜視図である。
【図２】図１の易開封性包装袋の開封状態を示す要部斜視図である。
【図３】図１のＸ−Ｘ線断面図である。
【図４】本発明にかかる易開封性包装袋の第二実施形態の要部斜視図である。
【図５】本発明にかかる易開封性包装袋の第三実施形態を示す斜視図である。
【図６】本発明にかかる易開封性包装袋の第三実施形態を示す背面図及びＹ−Ｙ線断面図である。
【符号の説明】
【００２０】
１、１’、 １’’                       易開封性包装袋
２                                      易引裂きフィルム層
３                                      基材層
４                                      熱接着性樹脂層
５                                      切れ目部
１０                                    合掌シール部
２０                                    上端縁熱接着部
３０                                    開封用切れ目線
４０                                    開口部
５０                                    前面パネル
６０                                    背面パネル
７０                                    下端縁熱接着部
Ａ、Ｂ                                  折込部
Ａ１１、Ａ１２、Ｂ１１、Ｂ１２          凸状折り部
Ａ２１、Ａ２２                          開封開始端
Ａ３                                    Ｖ字状先端部
Ａ３１、Ａ３２、Ｂ３１                  側端縁熱接着部
Ａ４、Ａ４                              開封終了端
Ｃ                                      開封予定線
Ｄ                                      屈曲開始点
Ｅ                                      開封終了点
【図１】
2007091265.tif 000003
【図２】
2007091265.tif 000004
【図３】
2007091265.tif 000005
【図４】
2007091265.tif 000006
【図５】
2007091265.tif 000007
【図６】
2007091265.tif 000008